(57)【要約】  本発明は指輪の内径を調節することができる内径調節可能な指輪に関し、より詳しくは、内周面に沿って結合凹溝を形成した外部リングと、結合凹溝に引入されて、指輪の内径を成す内部リングとを含んで構成し、外部リングの結合凹溝には引入された内部リングが抜けないように離脱防止突起を形成し、内部リングの外周面に沿って内側へ曲がる湾曲部を形成して、内部リングが結合凹溝に引入される際に、内側に湾曲部によってエアギャップが構成され、内部リングに複数の通孔を形成し、内部リングにはマイナスイオン、遠赤外線を発する鉱物を含み、また、内部リングの内周面にエンボスを形成し、指輪内径のサイズの変化が大きい場合、消費者が直接内部リングを取り替えるだけで、指輪の内径を拡張したり縮小することができる内径調節可能な指輪を提供する。
2013529536.tif 000002
【特許請求の範囲】
【請求項１】
内径調節可能な指輪を構成することにおいて、
内周面に沿って結合凹溝を形成した外部リングと；
前記結合凹溝に結合されて、指輪の内径を成す内部リングと；を含むことを特徴とする内径調節可能な指輪。
【請求項２】
前記外部リングの結合凹溝には引入された内部リングが抜けないように離脱防止突起を形成したことを特徴とする請求項１に記載の内径調節可能な指輪。
【請求項３】
前記内部リングの外周面に沿って内側に曲がる湾曲部を形成して、前記内部リングが結合凹溝に引入される際、内側に湾曲部によって前記外部リングと内部リングとの間にエアギャップを構成することを特徴とする請求項１に記載の内径調節可能な指輪。
【請求項４】
前記内部リングに複数の通孔を形成したことを特徴とする請求項１に記載の内径調節可能な指輪。
【請求項５】
前記内部リングにはマイナスイオン、遠赤外線を発する鉱物を含むことを特徴とする請求項１に記載の内径調節可能な指輪。
【請求項６】
前記内部リングの内周縁に加圧凹溝を形成したことを特徴とする請求項１に記載の内径調節可能な指輪。
【請求項７】
前記内部リングの内周面にエンボスを形成したことを特徴とする請求項１に記載の内径調節可能な指輪。
【請求項８】
前記外部リングの外周面に沿って外部で内部リングを認識するようにする複数の透視孔を構成したことを特徴とする請求項１に記載の内径調節可能な指輪。
【請求項９】
前記内部リングをメッシュ（網）状に構成したことを特徴とする請求項１に記載の内径調節可能な指輪。
【発明の詳細な説明】
【技術分野】
【０００１】
本発明は指輪の内径を調節することができる内径調節可能な指輪に関し、より詳しくは、内周面に沿って結合凹溝を形成した外部リングと、結合凹溝に引入されて、指輪の内径を成す内部リングとを含んで構成し、外部リングの結合凹溝には引入された内部リングが抜けないように離脱防止突起を形成し、内部リングの外周面に沿って内側へ曲がる湾曲部を形成して、内部リングが結合凹溝に引入される際に、内側に湾曲部によってエアギャップが構成され、内部リングに複数の通孔を形成し、内部リングにはマイナスイオン、遠赤外線を発する鉱物を含み、また内部リングの内周面にエンボスを形成し、内部リングの内周縁に複数の加圧凹溝を形成した内径調節可能な指輪に関する。
【背景技術】
【０００２】
一般に、指輪は、消費者の好みよって、販売店で所望のデザインを選定し、これを消費者の指の太さに合わせた規格サイズに製作して購入する。
【０００３】
しかし、上記のように、従来の指輪は、その特性上、内径のサイズが規格化されていて、使用者の体重の増減量による指の太さの変化に対応することができなくて、指が太くなると指輪をはめることができなくなり、指が細くなると指輪が指で空回りするか、簡単に抜けて紛失するなどの問題点を有する。
【０００４】
そして、従来の指輪が規格化されたサイズに製作されて、指節の大きい人はやっとはめた指輪が指で緩くなって指輪の着心地が良くなく、指節の小さい人は指輪が簡単に入って着心地は良いが、簡単に抜けて紛失する虞があった。
【０００５】
上記の問題点を解決するために、韓国特許登録第０９０６８２６号、実用新案登録第０３９６５１４号、実用新案登録第０２９４１７９号のように多様な方案が提示されたが、内径を可変するためのその構造が複雑で、多様な形態の指輪に適用することができず、外部の物理的衝撃に可変装置が破損されて、指に傷つけ、また、製造工期がたくさん所要され、製造コストも高くなるという問題点を有する。
【発明の概要】
【発明が解決しようとする課題】
【０００６】
従って、本発明は上記問題を解決するために案出されたもので、その目的は、所定大きさの内径を有する外部リングの内部に結合凹溝を形成し、結合凹溝に内部リングを引入結合するようにすることによって、指輪内径のサイズ変化が大きい場合、消費者が直接内部リングを取り替えて、消費者が直接指輪の内径を拡張したり、縮小することが可能で、指にぴったり合う指輪を着用するようにして、指輪が指で空回りすることを防止し、指輪が指から容易に抜けて紛失されることを防止することをその目的とする。
【０００７】
また、内部リングが弾性を有するゴムまたはシリコーン素材からなっていて、内部リングを交換することなく、その弾性だけである程度のサイズ変更が可能で、内部リングによって生成されるエアクッションによって外部から加えられる物理的衝撃を内部リングで吸収するようにして、指輪をはめた指を保護することをその目的とする。
【０００８】
また、内部リングにはマイナスイオン、遠赤外線を発する鉱物を含んでいて、健康増進機能を果たすことをその目的とする。
【０００９】
また、発明は、その構造が単純で、設計が効率的で、製造工期を短縮させ、製造コストも顕著に低減することができて、産業的な効果も期待することができることをその目的とする。
【課題を解決するための手段】
【００１０】
上記のような目的を達するために、本発明は内周面に沿って結合凹溝を形成した外部リングと、前記結合凹溝に引入されて指輪の内径を成す内部リングとを含み、前記外部リングの結合凹溝には引入された内部リングが抜けないように離脱防止突起を形成したことを特徴とする。
【００１１】
また、前記内部リングの外周面に沿って内側へ曲がる湾曲部を形成して、前記内部リングが結合凹溝に引入される際に、内側に湾曲部によってエアギャップが構成され、前記内部リングに複数の通孔を形成し、前記内部リングにはマイナスイオン、遠赤外線を発する鉱物を含むことを特徴とする。
【００１２】
また、前記内部リングの内周面にエンボスを形成し、前記内部リングの内周縁に複数の加圧凹溝を形成したことを特徴とする。
【００１３】
また、前記外部リングの外周面に沿って外部で内部リングを認識するようにする複数の透視孔を形成したことを特徴とする。
【００１４】
前記内部リングをメッシュ（網）状に構成したことを特徴とする。
【発明の効果】
【００１５】
上述したように、本発明は所定大きさの内径を有する外部リングの内周面に結合凹溝を形成して、結合凹溝に内部リングを引入するようにして、指輪内径のサイズ変化が大きい場合、消費者が直接内部リングを取り替えることだけで指輪の内径を拡張したり縮小することができる、という効果を奏する発明である。
【００１６】
また、内部リングが弾性を有するゴムまたはシリコーン素材からなっていて、内部リングを取り替えることなく、その弾性だけである程度のサイズ変更が可能であり、内部リングによって生成されるエアクッションによって外部で加えられる物理的衝撃を内部リングで吸収するようにして指輪をはめた指を保護する効果を奏する発明である。
【００１７】
また、内部リングには複数の通孔を形成して、指と指輪との間の汗または水分を通孔を通じて蒸発されるようにし、内部リングは、人体に無害なシリコーン、ゴムなどのような材質で、金属材である外部リングと肌との接触を遮断して、金属アレルギーを克服するようにして、金属に敏感な肌を有する人でも金属性指輪を着用するようにし、マイナスイオン、遠赤外線を発する鉱物を含んでいて、健康増進機能を発する効果を奏する発明である。
【図面の簡単な説明】
【００１８】
【図１ａ】本発明による外部リングと内部リングとを分離した状態を示す断面図である。
【図１ｂ】本発明による外部リングに内部リングを引入結合した状態を示す断面図である。
【図２ａ】本発明による内径調節可能な指輪の構成を示す例示図である。
【図２ｂ】本発明による内径調節可能な指輪の構成を示す例示図である。
【図２ｃ】本発明による内径調節可能な指輪の構成を示す例示図である。
【図２ｄ】本発明による内径調節可能な指輪の構成を示す例示図である。
【図２ｅ】本発明による内径調節可能な指輪の構成を示す例示図である。
【図２ｆ】本発明による内径調節可能な指輪の構成を示す例示図である。
【図２ｇ】本発明による内径調節可能な指輪の構成を示す例示図である。
【図３】本発明による内部リングの内周面にエンボスを形成した状態を示す断面図である。
【図４】本発明による内部リングの内周面にエンボスを形成したことを示す例示図である。
【図５】本発明による外部リングに透視孔を形成したことを示す例示図である。
【図６】本発明による内部リングをメッシュ（網）状に構成したことを示す例示図である。
【発明を実施するための形態】
【００１９】
上記目的を達するために、本発明を添付された例示図面に基づいて詳しく説明すれば次の通りである。
【００２０】
内径調節可能な指輪を構成することにおいて、内周面に沿って結合凹溝１１を形成した外部リング１０と；結合凹溝１１に結合されて、指輪３０の内径を成す内部リング２０と；を含む。
【００２１】
この際、外部リング１０の結合凹溝１１には引入された内部リング２０が抜けないように離脱防止突起１２を形成することができる。
【００２２】
そして、内部リング２０の外周面に沿って内側へ曲がる湾曲部を形成して、内部リング２０が結合凹溝１１に引入される際に内側に湾曲部によってエアギャップ２１を構成することができる。
【００２３】
また、内部リング２０に複数の通孔２２を形成することができ、内部リング２０にはマイナスイオン、遠赤外線を発する鉱物を含むことができる。
【００２４】
内部リング２０の内周縁に複数の加圧凹溝２３を形成することができる。
【００２５】
そして、内部リング２０の内周面にエンボス２４を形成することができる。
【００２６】
また、外部リング１０の外周面に沿って外部で内部リング２０を認識するようにする複数の透視孔１３を形成することができる。
【００２７】
そして、内部リングをメッシュ（網）状に構成することができる。
【００２８】
図面を参照して本発明の詳細な構成例及びその実施例を詳しく説明すれば次の通りである。
【００２９】
本発明による外部リング１０は鋳物製作し、内部リング２０は射出成型する。まず、外部リング１０の製作過程を説明すれば次の通りである。
【００３０】
第１段階で、製造する指輪のデザインを創作して図案を描いてデザインする。
【００３１】
また、第２段階で、特定樹脂でモールドを製作する。
【００３２】
そして、第３段階で、第２段階によって製作されたモールドを２等分に切断して第１段階によって図案された指輪のデザインによって、２等分されたモールドの内部を陰刻に成形する。
【００３３】
また、第４段階で、第３段階によって成形されたモールドを切断された断面を接合するように固定した後、溶融された液状のパラフィンを成形されたモールドの内部に注入する。
【００３４】
そして、第５段階で、第４段階によってモールドに注入されたパラフィンが硬化されるように乾燥し、パラフィンが硬化されると、モールドを再び２等分に分けてモールドの内部で造形されたパラフィン造形物を抽出する。
【００３５】
また、第６段階で、第５段階によって抽出したパラフィン造形物に石膏を塗って、石膏型を完成する。
【００３６】
第７段階で、第６段階によって完成された石膏型を加熱して、石膏型の内部に収容されたパラフィンを溶融させた後外部に流出する。
【００３７】
そして、第８段階で、第７段階によってパラフィンを全部流出した石膏型にパラフィンが位置していたその内部に液状金属鋳物を注入する。
【００３８】
また、第９段階で、第８段階によって石膏型の内部に注入された液状金属鋳物を冷却する。
【００３９】
第１０段階で、金属鋳物が冷却した石膏型を分離して、内部に造形された指輪を流出する。
【００４０】
そして、第１１段階で、第１０段階によって石膏型から流出した指輪をツヤが出るように加工する。
【００４１】
内部リング２０の製作過程を説明すれば次の通りである。
【００４２】
まず、第１段階で、外部リングのデザインに基づいて内部リングをデザインし、それによる射出金型を設計する。
【００４３】
そして、第２段階で、第１段階によって射出金型を製作する。
【００４４】
第３段階で、射出金型を射出機にマウンティングして内部リングを生産する。
【００４５】
上記の過程によって製作された本発明は、図１ａ〜図１ｂに示すように、所定大きさの内径を有する外部リング１０と該外部リング１０と結合して内径を成す内部リング２０とで構成し、外部リング１０には内周面に沿ってコ字状の結合凹溝１１を形成し、引入された内部リング２０が抜けないように結合凹溝１１には離脱防止突起１２を形成する。
【００４６】
言い換えれば、結合凹溝１１は、中に入って行くほど広くなる形態に形成し、結合凹溝１１の側面には鋭角を有する離脱防止突起１２がそれぞれ形成されて、結合凹溝１１に内部リングが引入されて結合すれば、鋭角を有する離脱防止突起１２によって内部リング２０が容易に抜けない。
【００４７】
従って、内部リング２０は指輪１０の結合凹溝１１に引入されて、指輪１０の内径を成すようになり、内部リングは人体に無害なシリコーン、ゴムなどのような材質で、金属材である外部リングと肌との接触を遮断して、金属アレルギーを克服するようにして、金属に敏感な肌を有する人でも金属性指輪を着用するようにする。
【００４８】
そして、指輪３０の内径を成す内部リング２０はその材質が人体に無害なゴム、シリコーンなどからなり、指輪３０をはめた指の汗や水分が通風作用によって容易に排出／蒸発するようにする複数の通孔２２を形成することができる。
【００４９】
また、図５に示すように、外部リング１０の外周面から内周面に貫通する透視孔１３を外周面に沿って形成し、通風作用が倍加されるとともに、外部で内部リング２０を認識するように構成することもできる。
【００５０】
この時、内部リング２０は多様な色に着色して、外部リング１０の内周面に装着することによって、外部リング１０の透視孔１３を通じて色を有する内部リング２０を認識できて、見る人がより目立つ審美感を感じるようにする。
【００５１】
そして、内部リング２０はマイナスイオン、遠赤外線を発する鉱物（銀、トルマリン、炭、セラミックス、玉、磁石など）を含むことによって、人の健康増進機能を果たすことができる。鉱物は、ゴム、シリコーン素材である内部リング２０を成形する前に、ゴム、シリコーンに粉末形態で混合されて、内部リング２０を成形し、内部リング２０がマイナスイオン、遠赤外線を発する機能をすることができ、マイナスイオン、遠赤外線を発する鉱物（銀、トルマリン、炭、セラミックス、玉、磁石など）を所定の形態に加工して、内部リング２０の内周面や周縁に複数を結合して装飾の効果、及びマイナスイオン、遠赤外線を発する機能をすることができる。
【００５２】
従って、上記の構成によって肌が金属に敏感に反応をする金属アレルギーを有する人でも非金属材である内部リング２０によって金属材である外部リング１０と金属に敏感な肌を互いに離間させるようにすることによって、金属アレルギーの反応が全く発生しないようにするので誰でも気軽に指輪を着用することができる。
【００５３】
また、内部リング２０は多様な色の塗料が混合または塗布されて消費者の好みにあう色を有するようにすることができ、内部リング２０の表面に陰刻または陽刻にマーク、ロゴ、顔文字、文章などを表記することができる。
【００５４】
そして、内部リング２０の内周面には外側に突出された湾曲部を形成して、指輪を指から着脱する際に指と内部リング２０との摩擦抵抗を最小化し、内径をサイズ程度に合わせて湾曲部の突出程度を異なるように形成する。
【００５５】
言い換えれば、指輪３０の内径を大きく縮小するためには、湾曲部がたくさん突出された内部リング２０を外部リング１０に引入結合して、比較的小さい内径に縮小する場合には、湾曲部が比較的少なく突出された内部リング２０を外部リング１０に引入結合する。
【００５６】
また、内部リング２０の外周面に沿って内側に曲がる湾曲部を形成して、内部リング２０が結合凹溝１１に引入される際に、内側に湾曲部によってエアギャップ２１を形成して、緩衝作用及び外部の物理的衝撃が指に伝達されないようにする。
【００５７】
そして、内部リング２０の内周縁に加圧凹溝２３を形成して、内部リング２０を外部リング１０から離脱する時、加圧凹溝２３を圧迫して内部リング２０が一側に撓って結合凹溝１１から容易に離脱するようにする。
【００５８】
この時、加圧凹溝２３は内部リング２０の内周縁に同一間隔で複数形成することができ、内周縁に沿って長手方向に形成することもできる。
【００５９】
また、図３に示すように、内部リング２０の内周面にエンボス２４を形成して、指輪を指から着脱する際、摩擦抵抗を減少し、指と指輪の接触面を最小化して、通風が容易であるので、指の汗や水分が容易に蒸発する。
【００６０】
また、本発明による他の実施例において、内部リング２０の内周面に通孔２２とエンボス２３を順次に形成して、通風機能を果たすとともに、エンボス２３を通じて指マッサージ機能を行うことができる。
【００６１】
また、図６に示すように、内部リングをメッシュ（網）状に構成して、内部リングと肌との接触を最小化し、指の汗や水分が蒸発されるようにする機能を倍加することができる。
【００６２】
また、本発明による指輪は、外部リング１０から内部リング２０を簡単に分離することができて、内部リング２０のみを別途に水洗いすることによって、衛生的に指輪を着用することができる。
【００６３】
図２ａ〜図２ｇに示すように、本発明は平打ち指輪、男性用指輪、結婚指輪、真珠ダイア入り指輪などの多様な指輪に適用することができる。
【００６４】
従って、本発明による外部リング１０に内部リング２０を着脱するだけで、指にぴったり合う指輪３０を着用することができるようにして、指輪が指で容易に空回りすることを防止し、指輪が指から容易に抜けて紛失されることを防止する。
【００６５】
そして、指と指節の周りがある程度差があってもその差を克服するようにして、着用感が優れた指輪を提供するようにする。
【００６６】
以上では、本発明の好ましい実施例について図示して説明したが、本発明は上記実施例に限定されなく、本発明の特許請求の範囲で請求する発明の要旨を逸脱することがなく多様に変更することができるが、そのような変更は特許請求の範囲に記載された範囲に属すると理解すべきである。
【産業上の利用可能性】
【００６７】
本発明による内径調節可能な指輪は、所定大きさの内径を有する外部リングの内周面に結合凹溝を形成し、結合凹溝に内部リングを引入するようにして、指輪の内径のサイズ変化が大きい場合、消費者が直接内部リングを取り替えるだけで指輪の内径を拡張したり縮小することができるという長所があるので、産業上の利用可能性がある。
【図１ａ】
2013529536.tif 000003
【図１ｂ】
2013529536.tif 000004
【図２ａ】
2013529536.tif 000005
【図２ｂ】
2013529536.tif 000006
【図２ｃ】
2013529536.tif 000007
【図２ｄ】
2013529536.tif 000008
【図２ｅ】
2013529536.tif 000009
【図２ｆ】
2013529536.tif 000010
【図２ｇ】
2013529536.tif 000011
【図３】
2013529536.tif 000012
【図４】
2013529536.tif 000013
【図５】
2013529536.tif 000014
【図６】
2013529536.tif 000015
【国際調査報告】
2013529536.tif 000016
2013529536.tif 000017
2013529536.tif 000018
2013529536.tif 000019